【手続補正書】
【提出日】平成25年12月6日(2013.12.6)
【手続補正１】
【補正対象書類名】特許請求の範囲
【補正対象項目名】全文
【補正方法】変更
【補正の内容】
【特許請求の範囲】
【請求項１】
電池パックと、
前記電池パックの直流電圧を変圧する変圧部と、
前記電池パックの特性に応じて前記変圧部の出力の可否を判別する制御部と、
を備えることを特徴とする電源装置。
【請求項２】
前記制御部は、前記電池パックの特性が前記電源装置の適用外であれば前記変圧部の動作を禁止することを特徴とする請求項１に記載の電源装置。
【請求項３】
前記変圧部は、前記電池パックの直流電圧を昇圧する昇圧部を備え、
前記制御部は、前記電池パックの特性が前記電源装置の適用外の場合に前記昇圧部の動作を禁止することを特徴とする請求項１又は２に記載の電源装置。
【請求項４】
前記変圧部は、前記昇圧部の電圧を整流・平滑する整流・平滑部と、前記整流・平滑部の直流電圧を交流電圧に変換するインバータ部を備え、
前記制御部は、前記電池パックの特性が前記電源装置の適用外の場合に、前記昇圧部と前記インバータ部の少なくとも一方の動作を禁止することを特徴とする請求項１から３のいずれか一項に記載の電源装置。
【請求項５】
前記制御部は、前記電池パックの定格容量に基づき前記昇圧部の動作を禁止することを特徴とする請求項１から４のいずれか一項に記載の電源装置。
【請求項６】
前記制御部は、前記電池パックの定格電圧に基づき前記昇圧部の動作を禁止することを特徴とする請求項１から４のいずれか一項に記載の電源装置。
【請求項７】
請求項１から６のいずれか一項に記載のインバータ装置と、前記インバータ装置に接続されるモータと、を備えたことを特徴とする電動工具。
【請求項８】
電池パックから供給される直流電圧を交流電圧に変換して出力する変圧回路と、
前記変圧回路から出力された交流電圧を整流・平滑して直流電圧として出力する整流・平滑回路と、
前記整流・平滑回路から出力された直流電圧を交流電圧に変換して出力するインバータ回路と、
前記電池パックの特性に基づき少なくとも前記インバータ回路からの出力あるいは前記変圧回路からの出力の一方を防止する防止手段と、
を備えたことを特徴とするインバータ装置。
【請求項９】
前記防止手段は、前記電池パックに含まれる二次電池の並列数に基づき少なくとも前記インバータ回路からの出力あるいは前記変圧回路からの出力の一方を防止することを特徴とする請求項８に記載のインバータ装置。
【請求項１０】
前記防止手段は、前記電池パックの定格電圧に基づき少なくとも前記インバータ回路からの出力あるいは前記変圧回路からの出力の一方を防止することを特徴とする請求項８又は９に記載のインバータ装置。
【請求項１１】
前記防止手段は、前記電池パックに含まれる二次電池の種類に基づき少なくとも前記インバータ回路からの出力あるいは前記変圧回路からの出力の一方を防止することを特徴とする請求項８から１０のいずれか一項に記載のインバータ装置。
【請求項１２】
前記防止手段は、前記電池パックの定格容量に基づき、少なくとも前記インバータ回路からの出力あるいは前記変圧回路からの出力の一方を防止することを特徴とする請求項８から１１のいずれか一項に記載のインバータ装置。
【請求項１３】
請求項８から１２のいずれか一項に記載のインバータ装置と、前記インバータ装置に接続されるモータと、を備えたことを特徴とする電動工具。
【手続補正２】
【補正対象書類名】明細書
【補正対象項目名】発明の名称
【補正方法】変更
【補正の内容】
【発明の名称】電源装置、電動工具及びインバータ装置
【手続補正３】
【補正対象書類名】明細書
【補正対象項目名】０００８
【補正方法】変更
【補正の内容】
【０００８】
本発明の電源装置は、電池パックと、前記電池パックの直流電圧を変圧する変圧部と、前記電池パックの特性に応じて前記変圧部の出力の可否を判別する制御部と、を備えたことを特徴としている。
前記制御部は、前記電池パックの特性が前記電源装置の適用外であれば前記変圧部の動作を禁止する。
前記変圧部は、前記電池パックの直流電圧を昇圧する昇圧部を備え、前記制御部は、前記電池パックの特性が前記電源装置の適用外の場合に前記昇圧部の動作を禁止するのが好ましい。
前記変圧部は、前記昇圧部の電圧を整流・平滑する整流・平滑部と、前記整流・平滑部の直流電圧を交流電圧に変換するインバータ部を備え、前記制御部は、前記電池パックの特性が前記電源装置の適用外の場合に、前記昇圧部と前記インバータ部の少なくとも一方の動作を禁止するのが好ましい。
前記制御部は、前記電池パックの定格容量に基づき前記昇圧部の動作を禁止するのが好ましい。
前記制御部は、前記電池パックの定格電圧に基づき前記昇圧部の動作を禁止するのが好ましい。

【手続補正４】
【補正対象書類名】明細書
【補正対象項目名】０００９
【補正方法】変更
【補正の内容】
【０００９】
本発明による電動工具は段落［０００８］に記載のインバータ装置と、前記インバータ装置に接続されるモータと、を備えたことを特徴とする。
【手続補正５】
【補正対象書類名】明細書
【補正対象項目名】００１０
【補正方法】変更
【補正の内容】
【００１０】
本発明のインバータ装置は、電池パックから供給される直流電圧を交流電圧に変換して出力する変圧回路と、前記変圧回路から出力された交流電圧を整流・平滑して直流電圧として出力する整流・平滑回路と、前記整流・平滑回路から出力された直流電圧を交流電圧に変換して出力するインバータ回路と、前記電池パックの特性に基づき少なくとも前記インバータ回路からの出力あるいは前記変圧回路からの出力の一方を防止する防止手段と、を備えたことを特徴としている。
このような構成によれば、電池パックの特性に基づきインバータ回路あるいは変圧回路からの少なくとも一方の出力を防止するので、インバータ装置に適していない電池パックがインバータ装置に接続された場合に、電池パックの寿命や出力効率が著しく低下することを防止することができる。

【手続補正６】
【補正対象書類名】明細書
【補正対象項目名】００１１
【補正方法】変更
【補正の内容】
【００１１】
また、前記防止手段は、前記電池パックに含まれる二次電池の並列数に基づき少なくとも前記インバータ回路からの出力あるいは前記変圧回路からの出力の一方を防止することが好ましい。
このような構成によれば、２並列の電池パックに適した仕様にした場合、１並列の電池パックから２並列の電池パックと同一の電流を得ようとして、１並列の電池パックには２並列の電池パックの２倍の電流が流れ、１並列の電池パックの寿命を低下させてしまうことを防止することができる。

【手続補正７】
【補正対象書類名】明細書
【補正対象項目名】００１２
【補正方法】変更
【補正の内容】
【００１２】
また、前記防止手段は、前記電池パックの定格電圧に基づき少なくとも前記インバータ回路からの出力あるいは前記変圧回路からの出力の一方を防止することが好ましい。
このような構成によれば、所定の定格電圧を有しない電池パックがインバータ装置に接続された場合に変圧回路における変換効率が低下することを防止することができる。
【手続補正８】
【補正対象書類名】明細書
【補正対象項目名】００１３
【補正方法】変更
【補正の内容】
【００１３】
また、前記防止手段は、前記電池パックに含まれる二次電池の種類に基づき前記インバータ回路からの前記交流電圧の出力を防止することが好ましい。
このような構成によれば、所定の種類以外の電池パックがインバータ装置に接続された場合に、電池パックに不適切な電流等が流れ、電池パックの寿命が低下することを防止することができる。
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】